(57)【特許請求の範囲】
【請求項１】
与えられたデジタルデータを所定のパターンから構成されるデジタルコード信号に変換し記録担体上に記録するデジタルコード信号を記録した記録担体の発行装置であって、
上記発行装置は、与えられたデジタルデータを複数のブロックに分割して各ブロックを多重化し、多重化された各ブロックを、縦方向または横方向のいずれか一ラインの読取りで、一つのデータとして復元可能となる様にマトリックス状に配置する処理手段と、
上記多重化され、縦方向または横方向のいずれか一ラインの読取りで、一つのデータとして復元可能となる様にマトリックス状に配置された複数のブロックを所定のパターンから構成されるデジタルコード信号として、記録担体上に記録する記録手段を備えている
ことを特徴とするデジタルコード信号を記録した記録担体の発行装置。
【請求項２】
記録担体上に記録された所定のパターンから構成されるデジタルコード信号を読み取り、デジタルデータに復元するデジタルコード信号を記録した記録担体の読取装置であって、
上記記録担体上には、複数のブロックに分割され、該ブロックが多重化されて縦方向または横方向のいずれか一ラインの読取りで、一つのデータとして復元可能となる様にマトリックス状に配置されたデジタルデータが、所定のパターンからなるデジタルコード信号として記録されており、
読取装置は、上記記録担体上の所定パターンを取り込む読取手段と、
上記読取手段により取り込まれた所定のパターンから、正しいデータで構成されるブロックを抽出し、抽出したブロックを再配置することによりデジタルデータを復元する処理手段を備えている
ことを特徴とするデジタルコード信号を記録した記録担体の読取装置。
【請求項３】
所定のパターンから構成されるデジタルコード信号を記録した記録担体であって、上記記録担体上には、複数のブロックに分割され、該ブロックが多重化されて縦方向または横方向のいずれか一ラインの読取りで、一つのデータとして復元可能となる様にマトリックス状に配置されたデジタルデータが、所定のパターンからなるデジタルコード信号として記録されている
ことを特徴とするデジタルコードを記録した記録担体。
【発明の詳細な説明】
【０００１】
【発明の属する技術分野】
競馬、競輪、競艇、オートレース、くじ等の競技で使用される投票券あるいは切符や各種カード等には、機械読取可能とするためバーコード等のデジタルコード信号が記録される場合が多い。
本発明は上記した投票券等のデジタルコード信号を記録した記録担体の発行および読取装置並びにデジタルコード信号を記録した記録担体に関する。
【０００２】
【従来の技術】
以下、競馬、競輪、競艇、オートレース等の競技で使用される投票券にバーコードが付されたバーコード投票券を例として説明する。
バーコード投票券面には、図９に示すように、場名、レース番号、開催場所、組番等が数字、記号、文字等で表記されるとともに、これらのデータをデジタルデータとして記録したバーコード領域から構成される。バーコード領域の上下には、データ読み取りの際のタイミング信号を与えるタイムスロットが記録され、タイムスロットで挟まれた領域にバーコードデータが記録されている。
上記投票券は、通常、カード発行装置から顧客の求めに応じたカードをプリントアウトすることにより発行され、また、カード読取装置によりバーコードが自動的に読み取られる。
【０００３】
【発明が解決しようとする課題】
投票券面に記録されるバーコードは多重化されていない場合が多く、このような投票券の場合、バーコードの一部が汚れていたり欠落していると、カード読取装置が誤認識をしたりあるいは読取不良となる。
本発明は上記した事情に鑑みなされたものであって、その目的とするところは、投票券等の記録担体上にバーコード等のデジタルコードを多重化して記録することにより、デジタルコードの一部が汚れていたり欠落していても誤認識や読取不良が発生することがないデジタルコード信号を記録した記録担体の発行／読取装置および記録担体を提供することである。
【０００４】
【課題を解決するための手段】
図１は本発明の基本構成図である。同図に示すように本発明においては、次のようにして前記課題を解決する。
（１）図１（ａ）に示すように、発行装置２の処理手段２ａは与えられたデジタルデータ１を複数のブロックに分割して各ブロックを多重化し、多重化された各ブロックを予め定められた組み合わせパターンで配置する。記録手段２ｂは上記多重化され、予め定められた組み合わせパターンで配置された複数のブロックを所定のパターンから構成されるデジタルコード信号として、記録担体上に記録する。
その結果、記録担体上のデジタルコード領域３には、図１に示すように、ブロック化され多重化された所定のパターンから構成されるデジタルコード信号が記録される。
【０００５】
（２）図１（ｂ）に示すように、読取装置４の読取手段４ａは、上記記録担体上に記録された所定のパターンから構成されるデジタルコード信号を取り込む。  処理手段４ｂは上記読取手段４ａにより取り込まれた所定のパターンから、正しいデータで構成されるブロックを抽出し、抽出したブロックを再配置することによりデジタルデータを復元する。
本発明の請求項１〜３の発明においては、上記のように、記録担体上にブロック化され多重化された所定のパターンから構成されるデジタルコード信号を記録しているので、一部のブロックが異常でも、他の位置に記録した同一内容のブロックを用いることができ、読み取り能力を向上させることができる。
また、分割され多重化されたブロックを記録担体上に配置する際、縦のラインあるいは横のラインが破損もしくは汚れても他の同一内容のブロックを正常に読めるように各ブロックを配置することにより、一層、読み取り能力を向上させることができる。
【０００６】
【発明の実施の形態】
図２は本発明の実施例のバーコードデータの配置例を示す図であり、同図は前記図９においてバーコード領域に記録されるバーコードデータを示している。  同図に示すように、本実施例においてはバーコードデータをブロック１〜４に分割し、それらをバーコード領域に４重化して配置している。
すなわち、図２におけるブロック１〜４を合わせたデータが、前記図９のバーコード領域に記録されたバーコードデータに対応し、券面上にはブロック１〜４がそれぞれ４ブロックずつ所定の組み合わせで配置されている。
【０００７】
図３は図２における各ブロック内のバーコードデータの配置の一例を示す図である。同図に示すように、１ブロック内には、数行のデータ（同図では各行が「８ビット＋１パリティ」のデータからなる）から構成されるデータ部が複数配置されており、これらデータ部で１ブロックのデータを構成している。
上記のようにバーコードデータを複数のブロックに分割し、それらを多重化して配置することにより、図４（ａ）に示すようにバーコード領域の一部が縦に破損あるいは汚れた場合、あるいは図４（ｂ）に示すようにバーコード領域の一部が横に破損したり汚れた場合であっても、破損もしくは汚れていないブロック１〜４が残っていれば、バーコードデータを読み取ることができる。
【０００８】
図５は本実施例におけるバーコード投票券の発行装置の構成を示す図である。同図において、１１は装置制御部であり、装置制御部１１は顧客が入力した投票カードに記録されたデータあるいはオペレータの操作により入力されたデジタルデータを発行ユニット１０に送出する。発行ユニット１０は、上記装置制御部１１から送られたデジタルデータを処理する処理部１０ａと、該デジタルデータを一時的に格納するデータ格納バッファ１０ｂと、バーコード投票券を印刷する印刷部１０ｃから構成されており、装置制御部１１から送られるバーコードデータ（多重化されていない）を分割して多重化し、多重化された各ブロックを予め定められたパターンで印刷する。
【０００９】
図６は本実施例の発行ユニットにおける処理フローを示す図であり、同図により本実施例のカード発行処理について説明する。
処理部１０ａは、装置制御部１１から送られてくるバーコードデータを受け取ると、データ格納バッファ１０ｂに格納する（ステップＳ１）。
次いで、バーコードデータを予め定められた複数のブロックに分割する。例えば前記図２の例では、バーコードデータを４つのブロックに分割する（ステップＳ２）。
ついで、分割したバーコードデータを、予め定められた組み合わせパターンで多重化しながら、データ格納バッファ１０ｂに配置する（ステップＳ３）。
そして、データ格納バッファ１０ｂにおけるバーコードデータの配置が終了すると、多重化され予め定めたパターンで配置されたバーコードデータを印刷部１０ｃに送出し印刷する（ステップＳ４）。
【００１０】
図７は本実施例におけるバーコード投票券の読取装置の構成を示す図である。同図において、２０はデータ読取ユニットであり、データ読取ユニット２０は、バーコード投票券のバーコードデータの読取部２０ａ、読み取ったバーコードデータの復元処理を行う処理部２０ｂ、読取部２０ａにより読み取られたバーコードのイメージデータを格納するデータ格納バッファ２０ｃから構成され、読取部２０ａにより読み取られた多重化されたバーコードを復元処理する。
上記処理部２０ｂで復元されたバーコードデータは装置制御部２１に送出され、例えば、当たり券であるか等の判別を行い換金処理等が行われる。
【００１１】
図８は本実施例の読取ユニットにおける処理フローを示す図であり、同図により本実施例のカード読み取り処理について説明する。
読取部２０ａでバーコードが読み取られると、処理部２０ｂは読み取ったバーコードのイメージデータをデータ格納バッファ２０ｃに格納する（ステップＳ１）。ついで、データ格納バッファ２０ｃからバーコードデータ（イメージデータ）を読み出し、ビットの有り無し（黒または白）を判定する（ステップＳ２）。そして、ビットの有り無しからデジタルデータを生成し、パリティチェック等を行うことにより各ブロックのデータのチェックを行う（ステップＳ３）。
上記のようにして正しいブロックが抽出されると（ステップＳ４）、予め定められた組み合わせパターンにより、１まとまりのデータを抜き出す（ステップＳ５）。例えば、前記図２に示したようにブロック１〜４がそれぞれ４ブロックずつ多重に配置されている場合には、予め定められた組み合わせパターンに基づき正しいブロックから構成されるブロック１〜４を抜き出しバーコードデータを復元する。
【００１２】
次いで、チェツクサム等により復元されたバーコードデータのデータチェックを行い（ステップＳ６）、チェック結果が正常であれば正常終了する。
また、チェック結果が異常の場合には、全パターンをチェックしたかを調べ（ステップＳ７）、全パターンのチェックが終わっていない場合には、ステップＳ４に戻り、正しいブロックを抽出し（ステップＳ４）、前記したように予め定められた組み合わせパターンにより、１まとまりのデータを抜き出す。そして、前記したように正しいブロックから構成されるブロック１〜４を抜き出しバーコードデータを復元する（ステップＳ５）。
上記ステップＳ４〜Ｓ７の処理を繰り返しても正しいブロックから構成される１まとまりのデータが得られない場合には、異常終了する。
【００１３】
なお、上記実施例では、バーコード投票券を例として本発明を説明したが、本発明の適用対象は、上記したバーコード投票券に限定されるものではなく、その他、デジタルコードを記録した各種記録担体に適用することができる。また、記録担体上にバーコード以外のコードを記録する場合にも、適用することができる。
【００１４】
【発明の効果】
以上説明したように、本発明においては、デジタルデータを分割してブロック化するとともに各ブロックを多重化し、各ブロックを予め定められた組合わせパターンで記録担体上に配置しているので、一部のブロックが異常でも、他の位置に記録した同一内容のブロックを用いることができ、読み取り能力を向上させることができる。
また、分割され多重化されたブロックを記録担体上に配置する際、縦のラインあるいは横のラインが破損もしくは汚れても他の同一内容のブロックを正常に読めるように各ブロックを配置することにより、一層、読み取り能力を向上させることができる。
【図面の簡単な説明】
【図１】本発明の基本構成図である。
【図２】本発明の実施例のバーコードデータの配置例を示す図である。
【図３】図２の各ブロック内のバーコードデータの配置の一例を示す図である。
【図４】バーコード領域の一部が破損あるいは汚れた場合を説明する図である。
【図５】本発明の実施例のバーコード投票券の発行装置の構成を示す図である。
【図６】本発明の実施例の発行装置の処理フローを示す図である。
【図７】本発明の実施例のバーコード投票券の読取装置の構成を示す図である。
【図８】本発明の実施例の読取装置の処理フローを示す図である。
【図９】バーコード投票券の従来例を示す図である。
【符号の説明】
１        デジタルデータ
２        発行装置
２ａ      処理手段
２ｂ      記録手段
３        デジタルコード領域
４        読取装置４
４ａ      読取手段
４ｂ      処理手段
１０      発行ユニット
１０ａ    処理部
１０ｂ    データ格納バッファ
１０ｃ    印刷部
１１      装置制御部
２０      データ読取ユニット
２０ａ    読取部
２０ｂ    処理部
２０ｃ    データ格納バッファ
【図１】
0004093618.tif 000002
【図２】
0004093618.tif 000003
【図３】
0004093618.tif 000004
【図４】
0004093618.tif 000005
【図５】
0004093618.tif 000006
【図６】
0004093618.tif 000007
【図７】
0004093618.tif 000008
【図８】
0004093618.tif 000009
【図９】
0004093618.tif 000010